(57)【要約】  情報処理端末１００は、日付情報およびカテゴリ情報によって分類されるコンテンツを表示する。情報処理端末１００は、ディスプレイ１１４と、ディスプレイ１１４上でユーザからの入力を検知するタッチセンサ１１２と、複数の日付情報、複数のカテゴリ情報、および前記複数の日付情報および前記複数のカテゴリ情報から前記ユーザによって選択された日付およびカテゴリに属するコンテンツを、ディスプレイ１１４に表示させる制御部１４０とを備えている。制御部１４０は、現在表示されているコンテンツの日付と異なる日付が選択されたとき、前記コンテンツのカテゴリと同一または類似するカテゴリに属する、選択された日付のコンテンツをディスプレイ１１４に表示させる。
2013030892.tif 000002
【特許請求の範囲】
【請求項１】
日付情報およびカテゴリ情報によって分類されるコンテンツを表示する情報処理端末であって、
ディスプレイと、
前記ディスプレイ上でユーザからの入力を検知するタッチセンサと、
複数の日付情報、複数のカテゴリ情報、および前記複数の日付情報および前記複数のカテゴリ情報から前記ユーザによって選択された日付およびカテゴリに属するコンテンツを、前記ディスプレイに表示させる制御部と、
を備え、
前記制御部は、現在表示されているコンテンツの日付と異なる日付が選択されたとき、前記コンテンツのカテゴリと同一または類似するカテゴリに属する、選択された日付のコンテンツを前記ディスプレイに表示させる、情報処理端末。
【請求項２】
前記制御部は、現在表示されているコンテンツの日付と異なる日付が選択されたとき、前記コンテンツのカテゴリと同一または類似するカテゴリに属するコンテンツが選択された日付に存在しない場合には、選択された日付における予め設定された初期画面を前記ディスプレイに表示させる、請求項１に記載の情報処理端末。
【請求項３】
前記ディスプレイは、予め設定された期間の日付情報を一度に表示する、請求項１または２に記載の情報処理端末。
【請求項４】
前記コンテンツは新聞記事である、請求項１から３のいずれかに記載の情報処理端末。
【請求項５】
前記制御部は、現在表示されているコンテンツの日付と異なる日付が選択されたとき、前記コンテンツのカテゴリと同一または類似するカテゴリに属するコンテンツが選択された日付に存在しない場合には、選択された日付における新聞の第１面の記事の情報を前記ディスプレイに表示させる、請求項４に記載の情報処理端末。
【請求項６】
日付情報およびカテゴリ情報によって分類されるコンテンツを表示する情報処理端末であって、
ディスプレイと、
前記ディスプレイ上でユーザからの入力を検知するタッチセンサと、
メモリと、
プロセッサと、
前記メモリに格納されたプログラムと、
を備え、
前記プログラムは、前記プロセッサに、
複数の日付情報、複数のカテゴリ情報、および前記複数の日付情報および前記複数のカテゴリ情報から前記ユーザによって選択された日付およびカテゴリに属するコンテンツを、前記ディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を実行させる、情報処理端末。
【請求項７】
日付情報およびカテゴリ情報によって分類されるコンテンツを表示する情報処理端末において用いられる表示制御方法であって、
複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を含む表示制御方法。
【請求項８】
日付情報およびカテゴリ情報によって分類されるコンテンツを表示する情報処理端末において用いられる表示制御プログラムであって、
コンピュータに対し、
複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を実行させる、表示制御プログラム。
【発明の詳細な説明】
【技術分野】
【０００１】
本発明は、日付情報およびカテゴリ情報によって分類される電子記事などのコンテンツを表示することが可能な情報処理端末に関する。
【背景技術】
【０００２】
近年、電子記事などのコンテンツを画面に表示することが可能な情報処理端末の普及が進んでいる。例えば、特許文献１には、複数の電子記事の１つの本文を表示部に表示することが可能な携帯電話機が開示されている。この携帯電話機は、表示している電子記事の前後の電子記事を表示するためのボタンを有し、当該ボタンの近傍に前後の電子記事の日付が表示されている。当該ボタンを押下することにより、表示している記事と同一カテゴリの前後の記事を表示することができる。【０００３】
特許文献２には、配信されたニュース記事の中からユーザが所望の記事を容易に発見できるように、複数のカテゴリ情報を含む情報を端末の画面に表示させることが開示されている。ユーザが所望のカテゴリを指定することにより、指定されたカテゴリの記事を表示させることができる。【０００４】
特許文献３には、電子記事ではないが、時間、チャンネル、カテゴリによって分類される番組表を表示できる表示装置が開示されている。ユーザが複数のカテゴリの中から所望のカテゴリを選択することにより、選択されたカテゴリの番組表が表示される。これにより、目的とする番組情報を直観的に検索することを可能にしている。
【先行技術文献】
【特許文献】
【０００５】
【特許文献１】特開２００９−１５５０６号公報
【特許文献２】特開２００２−２１５７３２号公報
【特許文献３】特開平１０−１９１１９３号公報
【発明の概要】
【発明が解決しようとする課題】
【０００６】
特許文献１から３に開示された装置では、複数の日付情報および複数のカテゴリ情報の中から特定の日付およびカテゴリを１つの画面内で選択して所望の記事を表示させることはできない。また、ユーザが日付を変更した際に関連するカテゴリのコンテンツを続けて読みたい場合に、従来技術では対応することができなかった。【０００７】
本発明は、上記の課題に鑑み、日付を変更した時に、関連するカテゴリのコンテンツ表示が維持される情報処理端末を提供することを目的とする。
【課題を解決するための手段】
【０００８】
本発明の情報処理端末は、日付情報およびカテゴリ情報によって分類されるコンテンツを表示することができる。前記情報処理端末は、ディスプレイと、前記ディスプレイ上でユーザからの入力を検知するタッチセンサと、複数の日付情報、複数のカテゴリ情報、および前記複数の日付情報および前記複数のカテゴリ情報から前記ユーザによって選択された日付およびカテゴリに属するコンテンツを、前記ディスプレイに表示させる制御部とを備えている。前記制御部は、現在表示されているコンテンツの日付と異なる日付が選択されたとき、前記コンテンツのカテゴリと同一または類似するカテゴリに属する、選択された日付のコンテンツを前記ディスプレイに表示させる。【０００９】
ある実施形態において、前記制御部は、現在表示されているコンテンツの日付と異なる日付が選択されたとき、前記コンテンツのカテゴリと同一または類似するカテゴリに属するコンテンツが選択された日付に存在しない場合には、選択された日付における予め設定された初期画面を前記ディスプレイに表示させる。【００１０】
ある実施形態において、前記ディスプレイは、予め設定された期間の日付情報を一度に表示する。【００１１】
ある実施形態において、前記コンテンツは新聞記事である。【００１２】
ある実施形態において、前記制御部は、現在表示されているコンテンツの日付と異なる日付が選択されたとき、前記コンテンツのカテゴリと同一または類似するカテゴリに属するコンテンツが選択された日付に存在しない場合には、選択された日付における新聞の第１面の記事の情報を前記ディスプレイに表示させる。【００１３】
本発明の他の情報処理端末は、日付情報およびカテゴリ情報によって分類されるコンテンツを表示する。前記情報処理端末は、ディスプレイと、前記ディスプレイ上でユーザからの入力を検知するタッチセンサと、メモリと、プロセッサと、前記メモリに格納されたプログラムとを備えている。前記プログラムは、前記プロセッサに、複数の日付情報、複数のカテゴリ情報、および前記複数の日付情報および前記複数のカテゴリ情報から前記ユーザによって選択された日付およびカテゴリに属するコンテンツを、前記ディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを実行させる。【００１４】
本発明の表示制御方法は、日付情報およびカテゴリ情報によって分類されるコンテンツを表示する情報処理端末において用いられる。前記表示制御方法は、複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを含む。【００１５】
本発明の表示制御プログラムは、日付情報およびカテゴリ情報によって分類されるコンテンツを表示する情報処理端末において用いられる。前記プログラムは、コンピュータに対し、複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを実行させる。
【発明の効果】
【００１６】
本発明によれば、日付を変更した場合に、現在表示されているコンテンツと関連性の高いコンテンツが表示されるため、ユーザの利便性が向上する。
【図面の簡単な説明】
【００１７】
【図１】実施形態における情報処理端末の外観を示す図である。
【図２】実施形態における情報処理端末のハードウェア構成を示すブロック図である。
【図３】実施形態における情報処理端末の画面構成例を示す図である。
【図４】カテゴリおよびグループの例を示す図である。
【図５】各画面間の遷移の例を示す図である。
【図６】日付変更動作における画面遷移の例を示す図である。
【図７】日付変更動作の処理の流れを示すフローチャートである。
【図８】紙面イメージの表示に関する画面遷移の例を示す図である。
【図９】横書き表示と縦書き表示との切り替えに関する画面遷移の例を示す図である。
【図１０】スクロールがこれ以上できないときの注意喚起のための表示の例を示す図である。
【図１１】情報処理端末と配信サーバとの間の情報通信の例を示す図である。
【図１２】配信されるコンテンツのデータ構造の例を示す図である。
【発明を実施するための形態】
【００１８】
以下、添付の図面を参照しながら本発明の実施形態を説明する。
【００１９】
図１は、本実施形態における情報処理端末１００（以下、単に「端末」と呼ぶことがある。）の外観を示す図である。本実施形態の情報処理端末１００は、新聞社などの配信サーバから配信された新聞記事のデータをディスプレイに表示する機能を備えた端末である。
【００２０】
情報処理端末１００は、コンテンツを表示するディスプレイおよびユーザからの入力を検知するタッチセンサを有するタッチスクリーン１１０と、情報処理端末１００の共通的な操作を可能にする操作ボタン１２０とを備えている。情報処理端末１００は、他に、電源スイッチ、外部ＩＦ、カメラ、スピーカ、マイク等を備え得るが、本発明の理解に特に必要ではないため、記載を省略している。操作ボタン１２０は、タッチセンサによって指等の接近を検知して入力を認識するものであってもよいし、ユーザによって実際に押し込まれることで入力を検知するボタンであってもよい。
【００２１】
図１は、タッチスクリーン１１０に新聞記事のコンテンツが表示されている状態の例を示している。情報処理端末１００は、電子新聞の表示の他、例えばＷｅｂページの閲覧、電子書籍の閲覧、電子メールの送受信、音声再生、写真撮影等が可能な汎用の情報処理端末であってもよい。
【００２２】
図２は、情報処理端末１００のハードウェア構成を示すブロック図である。図２には、情報処理端末１００の他、新聞記事データを配信する配信サーバ５００も記載されている。情報処理端末１００は、前述したタッチスクリーン１１０および操作ボタン１２０の他、無線通信を行うための通信回路１６０、配信された記事データや処理の過程で一時的に発生したデータを記録するメモリ１５０、情報処理端末１００の向きを検知する加速度センサ１８０、各機能部の動作を制御するプロセッサ（制御部）１４０を備えている。プロセッサ１４０は、バス２００を介して各機能部を制御する。
【００２３】
タッチスクリーン１１０は、前述のように、ユーザからの入力を検知するタッチセンサ１１２と、情報を表示するディスプレイ１１４とを有する。タッチスクリーン１１０は、ユーザからの入力およびディスプレイへの出力が可能であれば公知のどのような方式で実現されていてもよい。
【００２４】
操作ボタン１２０は、前述のように、タッチセンサによって入力を検知するものでもよいし、実際にユーザに押し込まれることによって入力を検知するものでもよい。操作ボタン１２０は、情報処理端末１００の初期画面（ホーム画面）を呼び出すボタン、直前の画面表示に戻るためのボタン、端末の各種設定を行うための画面を呼び出すボタンなどを含み得る。
【００２５】
プロセッサ１４０は、例えば公知のＣＰＵ（Ｃｅｎｔｒａｌ  Ｐｒｏｃｅｓｓｉｎｇ  Ｕｎｉｔ）およびＧＰＵ（Ｇｒａｐｈｉｃｓ  Ｐｒｏｃｅｓｓｉｎｇ  Ｕｎｉｔ）を含む集積回路と各種プログラムとの組み合わせ、または専用のハードウェアによって構成され得る。プロセッサ１４０は、操作ボタン１２０、タッチセンサ１１２、通信回路１６０、加速度センサ１８０等からの入力に基づいてディスプレイ１１４への表示を制御するとともに、配信サーバ５００との間の通信を制御する。
【００２６】
メモリ１５０は、例えば公知のＤＲＡＭやＳＲＡＭ等の半導体メモリである。メモリ１５０は、操作ボタン１２０、タッチセンサ１１２、通信回路１６０、加速度センサ１８０等からの入力データや、プロセッサ１４０の処理において一時的に発生する各種のデータを保存する。メモリ１５０はまた、プロセッサ１４０によって実行される各種プログラムを保存する。
【００２７】
通信回路１６０は、公知の通信回路であり、プロセッサ１４０からの指示により、遠隔地に設けられた配信サーバ５００に対して記事データの要求信号を送信するとともに配信された記事データを受信する。通信回路１６０は、例えばＩＥＥＥ８０２．１１規格に準拠した無線通信を行い、電話回線、光ファイバ網、携帯電話網等を介してインターネットに接続可能である。
【００２８】
加速度センサ１８０は、情報処理端末１００の傾きを検知するためのセンサである。加速度センサ１８０によって検知された傾きに応じて、プロセッサ１４０は、ディスプレイ１１４への表示を回転させる制御を行う。なお、加速度センサ１８０の代わりにジャイロスコープ等の他の種類のセンサを用いて情報処理端末１００の傾きを検知してもよい。
【００２９】
以下、情報処理端末１００が新聞記事を表示する際の画面構成の例を説明する。
【００３０】
図３は、情報処理端末１００が新聞記事のコンテンツを表示する際の画面構成の例を示す図である。本実施形態では、新聞記事を表示する画面として、大別してウィジェットによる表示画面と、専用アプリケーションによる表示画面とが用意されている。
【００３１】
図３（ａ）は、ウィジェットによる表示画面の例を示している。ウィジェットによる表示画面は、例えば端末起動後、予めユーザによってカスタマイズされた設定内容に基づいて表示され得る。ウィジェットによる表示画面では、その日の主要な記事のヘッドラインや写真が、例えば新聞紙面の頁ごとに一定の時間間隔で切り替わりながら表示される。これにより、ユーザは、専用アプリケーションを起動することなく、その日の新聞記事の紙面ごとのダイジェストを知ることができる。図３（ａ）には示されていないが、ウィジェットによる画面には、記事情報だけでなく、宣伝広告や号外に関する情報が表示されていてもよい。
【００３２】
図３（ｂ）、（ｃ）は、専用アプリケーションによる表示画面の例を示している。情報処理端末１００の初期画面に表示されるアプリケーション起動用アイコンを選択（タップ）するか、上記のウィジェットに表示された１つの記事の区画をタップすると、専用アプリケーションが起動し、図３（ｂ）、（ｃ）に例示される画面のいずれかが表示される。
【００３３】
図３（ｂ）は、アプリケーション起動用アイコンを選択した場合に表示される画面の例を示している。この画面は、日付情報３１０とカテゴリ情報３２０とによって分類されるコンテンツのダイジェスト（ダッシュボード）を表示する画面である。ダッシュボードは、記事ごとに用意され、ヘッドライン、写真、またはそれらの組み合わせによって表現され得る。以下、図３（ｂ）に示す画面を、「カテゴリ表示画面」または「ダッシュボード画面」と呼ぶ。なお、本実施形態では、図３（ａ）に示すウィジェットに表示される内容は、このダッシュボード画面に表示される内容と同一である。なお、図３（ｂ）では、３つの記事についてのダッシュボードが一画面に表示されているが、一画面に表示される記事の数は３つに限られない。また、１つのカテゴリの全ての記事のダッシュボードを一画面に表示できない場合は、例えば画面右部に残りの記事の見出しを並べてもよい。これにより、ダッシュボードが表示されていない記事の見出しを選択することにより、選択した記事の詳細画面に遷移できるようにしてもよい。
【００３４】
日付情報３１０は、表示させる記事の日付を指定するための情報であり、図示される例では画面上部に横並びで一週間分表示されている。このように、日付情報３１０は、取得済みの新聞記事データの最新の日付けから遡って一定日数（例えば７日間）分が一度に表示されることが好ましい。図３（ｂ）は、７月９日土曜日に情報処理端末１００を使用している場合の例を示している。このような画面構成により、ユーザは、複数の日付の中から所望の日付を容易に指定することができる。ユーザによって日付が指定されると、後述するように、現在表示されている記事と同一または類似するカテゴリに属する、指定された日付の記事が表示される。なお、日付情報３１０が表示されている領域を指等で横になぞることにより、表示されている日付よりもさらに過去の日付情報を表示させるようにしてもよい。または、さらに過去の日付情報を表示させるためのボタンを表示し、それをタップすることにより、例えば１週間ごとに過去の日付情報に遡って表示されるように構成されていてもよい。また、図３（ｂ）では、最新の日付として「７／９（土）」を画面上部の右端に設定して一定日数分の情報が表示されているが、最新の日付を画面上部の左端に設定して一定日数分の情報を表示してもよい。
【００３５】
カテゴリ情報３２０は、表示させる記事のカテゴリを指定するための情報であり、図示される例では画面左部に縦並びで表示されている。各カテゴリは、新聞の各面に相当し、それらは１対１に対応している。例えば、新聞の第１面は、「朝一」カテゴリに対応し、スポーツ１欄は「スポーツ１」カテゴリに対応する。なお、本実施形態では、アプリケーション起動直後は「朝一」カテゴリのダッシュボードが表示されるように設定されている。このカテゴリ情報３２０により、ユーザは、複数のカテゴリの中から所望のカテゴリを容易に指定することができる。ユーザによってカテゴリが指定されると、現在表示されている記事と同一の日付の、指定されたカテゴリに属する記事が表示される。なお、カテゴリの数が多いために、カテゴリ情報３２０の全てが一画面に収まらない場合は、縦にスクロールすることで表示されていなかったカテゴリが表示されるようにしてもよい。
【００３６】
ここで、カテゴリ情報３２０に表示される情報の例を説明する。図４は、カテゴリ情報３２０に表示される情報の一例を示す図である。図４に示される表のカテゴリ欄に記載されている「朝一」、「総合」などの文言がカテゴリ情報３２０として画面に表示される。図４では、関連性のあるカテゴリ同士が同一のグループに属するように、カテゴリが複数のグループに分類されている例を示している。プロセッサ１４０は、図４に示すような情報をメモリに保持しており、当該情報に基づいて、カテゴリ情報３２０をディスプレイ１１４に表示させる。また、プロセッサ１４０は、後述するように、図４に示される分類に基づいて、複数のカテゴリ間の類似性を判断することもできる。
【００３７】
図３（ｃ）は、ウィジェットに表示された記事の１つを選択した場合や、ダッシュボード画面に表示された記事の１つを選択した場合に表示される画面の例を示している。この画面は、選択された記事の詳細を表示する。以下、この画面を「記事詳細画面」と呼ぶ。記事詳細画面においても、日付情報３１０およびカテゴリ情報３２０が表示され、ユーザの選択によって所望の日付およびカテゴリの記事を表示させることができる。記事詳細画面では、記事が一画面に収まらない場合には、上下に画面をなぞることにより、画面をスクロールさせることができる。また、表示されているカテゴリに複数の記事がある場合には、左右に画面をなぞることにより、同一日付、同一カテゴリに属する前後の記事を表示させることができる。記事詳細画面では、記事とともに掲載されている写真の部分をタップすることにより、拡大された写真を表示させてもよい。
【００３８】
ダッシュボード画面および記事詳細画面は、ユーザが２本の指で表示領域を広げる動作または縮める動作（タッチスクリーン上のピンチ処理）を行うことにより、表示を拡大または縮小させることが可能である。
【００３９】
なお、日付情報３１０およびカテゴリ情報３２０のレイアウトは、図３に示す例とは異なっていてもよい。例えば、日付情報３１０が縦並びで表示され、カテゴリ情報３２０が横並びで表示されていてもよい。また、日付情報３１０およびカテゴリ情報３２０が横または縦に並列するように配置されていてもよい。
【００４０】
図３に示す例では、情報処理端末１００を横長の表示にした場合の画面イメージを表している。情報処理端末１００を例えば９０度傾けて縦長の表示にした場合には、これらの画面のレイアウトは変化してもよい。例えば、縦長の表示にした場合には日付情報３１０とカテゴリ情報３２０とが、ともに画面上部に横並びで上下に並んで配置されるようにしてもよいし、ともに画面左部に縦並びで左右に並んで配置されるようにしてもよい。
【００４１】
図５は、これらの画面間の遷移の方法の例を示す図である。図５（ａ）に示すウィジェットに表示されている特定の記事の区画内をタップすると、図５（ｃ）に示すように当該記事の詳細画面が表示される（図５（１））。また、図５（ｂ）に示すダッシュボード画面における特定の記事の区画をタップしても同様に、当該記事の記事詳細画面に遷移する（図５（２））。逆に、記事詳細画面において、特定のカテゴリを選択すると、当該カテゴリのダッシュボード画面に遷移する（図５（３））。なお、本実施形態では、記事詳細画面において、現在表示されている記事のカテゴリと同一のカテゴリが選択された場合と異なるカテゴリが選択された場合とに関わらず、当該カテゴリのダッシュボード画面に遷移する。
【００４２】
ウィジェットおよびダッシュボード画面内の特定の記事の区画内をタップすることによって、当該記事の詳細画面が表示される動作は、例えば次の仕組みによって実現される。情報処理端末１００は、タッチスクリーン１１０のどの領域がどの記事に対応するかを示す「記事領域情報」を、例えばメモリ１５０内に保持している。プロセッサ１４０は、ユーザがタッチスクリーン１１０上のどの位置をタップしたかを認識し、その位置に対応する記事を、記事領域情報を参照することによって特定し、特定した記事の詳細画面を表示する。
【００４３】
次に、ユーザによって日付が変更されたときの動作を説明する。
【００４４】
図６は、ダッシュボード画面または記事詳細画面が表示されている状態において、ユーザが日付を変更したときの画面遷移の例を示す図である。まず、図６（ａ）に示すように、７月４日月曜日の「スポーツ２」カテゴリのダッシュボード画面が表示されているものとする。この状態で、ユーザが日付情報における「7/7（木）」の表示部分をタップすると、図６（ｃ）に示す７月７日木曜日の「スポーツ２」カテゴリのダッシュボード画面に遷移する（図６（１））。また、図６（ｂ）に示すように、ユーザが７月４日月曜日の「スポーツ２」カテゴリの記事詳細画面を閲覧している状態で、日付情報における「7/7（木）」の表示部分をタップした場合も、同様に図６（ｃ）に示す画面に遷移する（図６（２））。
【００４５】
このように、現在表示されている記事の日付とは異なる日付が指定されると、指定された日付の、同一カテゴリのダッシュボード画面が表示される。ここで、同一カテゴリの記事が指定した日付に存在しない場合があり得る。例えば、現在表示している「スポーツ２」のカテゴリが、指定した日付に存在しない場合がある。そのような場合、情報処理装置１００は、指定された日に類似するカテゴリがあれば、そのカテゴリのダッシュボード画面を表示する。例えば「スポーツ２」のカテゴリが指定された日にない場合、代わりに「スポーツ」のダッシュボード画面が表示される。類似するカテゴリとして、例えば、「スポーツ」と「スポーツ２」、「総合１」と「総合２」などが挙げられる。現在表示している記事のカテゴリに類似するカテゴリがない場合は、予め設定された初期画面（例えば第１面）が表示される。
【００４６】
図７は、上記の日付変更動作を実現するために情報処理端末１００が行う処理の流れを示すフローチャートである。まず、タッチセンサ１１２を介して現在表示している記事の日付とは異なる日付の入力を受けると（ステップＳ０１）、プロセッサ１４０は、現在表示している記事のカテゴリと同一のカテゴリが存在するか否かを判定する（ステップＳ０２）。指定された日付に同一のカテゴリが存在する場合、プロセッサ１４０は、ディスプレイ１１４に当該カテゴリのダッシュボード画面を表示させる（ステップＳ０３）。指定された日付に同一のカテゴリが存在しない場合は、プロセッサ１４０は、当該日付に類似するカテゴリが存在するか否かを判定する（Ｓ０４）。当該日付に類似するカテゴリが存在する場合、プロセッサ１４０は、ディスプレイ１１４にその類似するカテゴリのダッシュボード画面を表示させる(ステップＳ０５)。当該日付に類似するカテゴリも存在しない場合は、プロセッサ１４０は、予め設定された初期画面（例えば第１面のダッシュボード画面）をディスプレイ１１４に表示させる。
【００４７】
次に、類似するカテゴリが存在するか否かの判断がどのようにして行われるかを説明する。情報処理端末１００は、例えば前方一致検索によってヒットした、現在のカテゴリ名と名称の一部が重複するカテゴリを類似するカテゴリと判断することができる。または、図４に示されるような、予め設定された類似のカテゴリを規定するテーブルに基づいて類似性を判断してもよい。情報処理端末１００は、図４に示される情報をテーブルとしてメモリ１５０内に保持しており、プロセッサ１４０が当該テーブルを参照することによって類似性を判断することができる。例えば、現在表示している記事が「国際・総合」カテゴリの記事であり、指定された日付に「国際・総合」カテゴリの記事がない場合、同じ「総合」グループに属するカテゴリのうち、先頭の「総合」カテゴリの記事があれば、その記事が表示される。なお、情報処理装置１００は、類似性の判断を行わず、同一のカテゴリがない場合は直ちに予め設定された初期画面を表示してもよい。
【００４８】
以上のように、本実施形態の情報処理端末１００によれば、現在表示されているコンテンツの日付と異なる日付が選択されたとき、参照中のコンテンツのカテゴリと同一または類似するカテゴリのコンテンツが表示される。本実施形態によれば、日付変更時に初期画面へ遷移することなく、それまで閲覧していたコンテンツと関連度の高いコンテンツを連続して閲覧することができるため、従来の情報処理端末に比べ、ユーザの利便性が向上する。
【００４９】
次に、本実施形態の情報処理端末１００の他の機能を説明する。情報処理端末１００は、上記の日付変更動作の他、以下に示す機能を備えていてもよい。
【００５０】
図８は、ダッシュボード画面または記事詳細画面から新聞紙面イメージへと表示を切り換える動作の例を示す図である。図８（ａ）に示すダッシュボード画面または図８（ｂ）に示す記事詳細画面の上部に表示されているボタン８３０、８４０をタップすると、図８（ｃ）に示すように、それまで表示されていた記事に対応する新聞紙面イメージが表示される（図８（１）、（２））。本実施形態では、カテゴリと新聞紙面の頁とは１対１に対応しているので、それまで表示されていたカテゴリに対応する頁の紙面イメージが表示される。
【００５１】
逆に、紙面イメージからダッシュボード画面や記事詳細画面に遷移させることも可能である。例えば、図８（ｃ）に示す紙面イメージ画面には、ダッシュボード画面に戻るためのボタン８００が存在し、それをタップすると、表示されている紙面に対応するダッシュボード画面に遷移する（図８（３））。なお、ボタン８００を表示する代わりに、図１に示す操作ボタン１２０の１つが同等の機能を有していてもよい。また、紙面イメージにおける各記事が記載された領域をタップすることによって当該記事の記事詳細画面に遷移するように構成されていてもよい（図８（４））。また、ダッシュボード画面および記事詳細画面に表示されている「○○新聞」の部分をタップすることによって上記図８（１）の動作および図８（２）の動作が実現されるように構成されていてもよい。なお、この例でも、ダッシュボード画面と記事詳細画面との間の遷移は、図５を参照して説明した上記の画面切り替え方法によって行われる。
【００５２】
紙面イメージは、家庭に配達または販売店で販売される新聞紙面と全く同一の内容である。記事詳細画面には、情報量およびスペースの制約上、新聞紙の全ての情報が掲載されない場合がある。そのような場合であっても、紙面イメージを参照すれば、全ての情報を読むことができる。紙面イメージ画面においても、記事詳細画面等と同様、ユーザが自由にスクロール、拡大・縮小させることが可能である。また、図８（ｃ）に示す頁切替ボタン８１０、８２０をタップすれば、１頁ずつ画面を遷移させることができる。
【００５３】
図９は、横書き表示と縦書き表示とを切り換える動作を示す図である。情報処理端末１００は、記事詳細画面において、横書き表示と縦書き表示とを切り換える機能を有していてもよい。日本語の新聞は、通常縦書きで作成されるため、情報処理端末１００上で日本語の記事を読む際にも縦書きで書かれていた方がよいというニーズが想定される。そこで、図９（ａ）に示すように、横書きと縦書きとを切り換えるための表示切替ボタン９００を記事詳細画面に設けてもよい。表示切替ボタン９００をタップすることにより、横書きから縦書きへの変換（図９（１））、および縦書きから横書きへの変換（図９（２））が可能になる。
【００５４】
図１０は、記事詳細画面のスクロールがこれ以上できないときに注意喚起のための表示を行う動作の例を示す図である。記事詳細画面において、スクロールさせようとしたとき、記事の端に達し、これ以上スクロールできないことがある。情報処理端末１００は、そのような時、ユーザに記事の端に達したことを知らせるための赤色の線（注意喚起表示）１０００を表示する。この機能により、例えば記事内の写真をタップして拡大表示させようとしているときに、意図しない指の滑りによってスクロールになってしまった場合に、ユーザに注意喚起することができる。なお、本実施形態では赤色の線を表示することとしたが、ユーザに注意喚起できれば、どのような表示であってもよい。
【００５５】
次に、情報処理端末１００へのデータ配信および配信データの例を説明する。
【００５６】
図１１は、情報処理端末１００と遠隔地に設けられた新聞社の配信サーバ５００との間の情報通信の一例を示す図である。本実施形態における情報処理端末１００は、新聞記事のデータを遠隔地に配置された配信サーバ５００から毎朝取得する。図示される例では、情報処理端末１００は、毎朝定時（例えば午前５時）に配信サーバ５００に対し、配信を要求する。配信サーバ５００は、要求に応じて、その日の記事データを配信する。但し、配信サーバ５００に一度に多くの要求が届いた場合などは、配信サーバ５００の処理能力や伝送可能なトラヒック量の限界などにより、データを配信できない場合がある。そのような場合、配信サーバ５００は、一定時間待ってから再度要求するように情報処理端末１００に通知する（再送要求）。再送要求を受けた情報処理端末１００は、一定時間（例えば５分）待ってから再度配信を要求する。配信サーバ５００は、要求を受けた後、配信可能であると判断すると、記事データを情報処理端末１００に配信する。
【００５７】
図１２は、情報処理端末１００に配信される記事データのデータ構造の一例を示す図である。情報処理端末１００は、配信サーバ５００から、図示されるデータ構造のデータを毎朝受け取る。図１２において、長方形で囲まれた文字はディレクトリ（またはフォルダ）を表し、長方形で囲まれていない文字はファイルを表している。配信日が２０１１年７月４日である場合、記事データは、「20110704」ディレクトリの配下に格納されて配信される。
【００５８】
「20110704」ディレクトリは、「category」ディレクトリ、「paper」ディレクトリ、「widget」ディレクトリ、および「metadata.xml」ファイルを含んでいる。「category」ディレクトリには、ダッシュボード画面および記事詳細画面に表示されるコンテンツのデータが格納される。「paper」ディレクトリには、紙面イメージ画面に表示されるイメージデータが格納される。「widget」ディレクトリには、ウィジェット画面に表示されるイメージデータが格納される。「category」、「paper」、「widget」の各ディレクトリに含まれる「０１」から「２０」のディレクトリの各々は、新聞の各面（カテゴリ）に対応している。すなわち、「０１」ディレクトリには、第１面に関するデータが格納され、「２０」ディレクトリには、第２０面（最終面）に関するデータが格納されている。「metadata.xml」は、日付等のメタデータを記述するＸＭＬ（Ｅｘｔｅｎｓｉｂｌｅ  Ｍａｒｋｕｐ  Ｌａｎｇｕａｇｅ）ファイルである。
【００５９】
「category」ディレクトリに含まれる「categorys.txt」には、カテゴリ名の一覧が記述されている。情報処理端末１００は、このデータを参照してダッシュボード画面および記事詳細画面にカテゴリ情報を表示する。「category」ディレクトリに含まれる「０１」から「２０」ディレクトリの各々には、「news.xml」ファイルと、複数のＪＰＥＧ（Ｊｏｉｎｔ  Ｐｈｏｔｏｇｒａｐｈｉｃ  Ｅｘｐｅｒｔｓ  Ｇｒｏｕｐ）ファイルが格納されている。「news.xml」ファイルは、そのカテゴリに属するすべての記事のテキストデータ、画像データ（上記のＪＰＥＧファイル）へのパス、および記事のレイアウト情報が記述されたＸＭＬファイルである。プロセッサ１４０は、このＸＭＬファイルを参照して各記事をディスプレイ１１４に表示する。なお、図１２では、「０１」ディレクトリ以外のディレクトリの配下のファイルについての記載は省略している。
【００６０】
「paper」ディレクトリには、新聞の各面ごとの紙面イメージのデータが１６分割されて格納されている。「０１」から「２０」ディレクトリの各々に、１６個のＪＰＥＧファイルが格納されている。これらのＪＰＥＧファイルは、新聞紙面のイメージを１６分割したものであり、全てを合わせると１頁分の紙面イメージになる。プロセッサ１４０は、紙面イメージの表示の要求をユーザから受け取ると、これらのＪＰＥＧファイルを利用して、紙面イメージ画面を表示する。なお、図１２では、「０１」ディレクトリ以外のディレクトリの配下のファイルについての記載は省略している。
【００６１】
「widget」ディレクトリには、ウィジェット画面およびダッシュボード画面に表示される画像の区画を定めるためのデータが格納されている。「０１」から「２０」ディレクトリの各々に、１６個のＰＮＧ（Ｐｏｒｔａｂｌｅ  Ｎｅｔｗｏｒｋ  Ｇｒａｐｈｉｃｓ）ファイルと、「template.txt」ファイルが格納されている。「template.txt」ファイルには、ウィジェット画面およびダッシュボード画面において各記事の区画を定めるための区画情報が記述されている。この区画情報が、上述した「記事領域情報」として使用される。「news0.png」から「news15.png」ファイルは、ウィジェット画面およびダッシュボード画面に表示させるイメージをカテゴリごとに１６分割したデータである。区画情報は、これらのデータで表された、１６等分された画面のどの部分がどの記事に対応するかを示している。なお、「記事領域情報」は、この例に限らず、画面上のどの座標がどの記事に対応するかを示す情報であってもよい。例えば、上記の区画情報の代わりに、画面上の位置を矩形の座標を用いて表したときに、各座標がどの記事と対応するかを規定するファイルが記録されていてもよい。「widget」ディレクトリには、上記のデータの他、広告用のイメージデータ等が格納されていてもよい。
【００６２】
以上の配信データにより、情報処理端末１００は、最新の記事データを表示することが可能になる。情報処理端末１００は、図１２に例示されるようなデータ構造の配信データを毎朝受信し、メモリ１５０に格納する。プロセッサ１４０は、メモリ１５０から当日受信したデータを読出し、ウィジェット画面、ダッシュボード画面、記事詳細画面を構築し、ディスプレイ１１４に表示させる。なお、図１２に示すデータ構造はあくまで一例であり、本実施形態における動作を実現できれば、配信データはどのようなデータ構造を有していてもよい。
【００６３】
以上のように、本実施形態の情報処理端末１００は、新聞社の配信サーバ５００から配信される新聞記事のデータに基づいてコンテンツを表示するが、本発明は、このような形態に限られるものではない。例えば、コンテンツは新聞記事に限らず、日付情報およびカテゴリ情報によって分類されるデータであれば、雑誌の記事などであってもよい。また、記事のデータは電気通信回線ではなく、記録媒体を介して情報処理端末１００に記録してもよい。
【００６４】
なお、本実施形態におけるプロセッサ１４０が実行する上記の各処理を規定するプログラムは、情報処理端末１００とは独立して流通され得る。そのようなプログラムは、例えば電気通信回線や、ＣＤ−ＲＯＭ、ＤＶＤ−ＲＯＭ、磁気テープ、メモリカード等の記録媒体を介して情報処理端末１００に記録することができる。
【産業上の利用可能性】
【００６５】
本発明は、日付を変更した場合に、直前に表示されていたコンテンツと関連度の高いコンテンツが表示されるため、例えば電子新聞を表示するための装置に利用可能である。
【符号の説明】
【００６６】
１００    情報処理端末
１１０    タッチスクリーン
１１２    タッチセンサ
１１４    ディスプレイ
１２０    操作ボタン
１４０    プロセッサ
１５０    メモリ
１６０    通信回路
１８０    加速度センサ
２００    バス
３１０    日付情報
３２０    カテゴリ情報
５００    配信サーバ
８００    ダッシュボード画面表示用ボタン
８１０、８２０  頁切替ボタン
８３０、８４０  紙面イメージ表示用ボタン
９００  表示切替ボタン
【図１】
2013030892.tif 000003
【図２】
2013030892.tif 000004
【図３】
2013030892.tif 000005
【図４】
2013030892.tif 000006
【図５】
2013030892.tif 000007
【図６】
2013030892.tif 000008
【図７】
2013030892.tif 000009
【図８】
2013030892.tif 000010
【図９】
2013030892.tif 000011
【図１０】
2013030892.tif 000012
【図１１】
2013030892.tif 000013
【図１２】
2013030892.tif 000014
【手続補正書】
【提出日】平成24年3月23日(2012.3.23)
【手続補正１】
【補正対象書類名】明細書
【補正対象項目名】全文
【補正方法】変更
【補正の内容】
【発明の詳細な説明】
【技術分野】
【０００１】
本発明は、日付情報およびカテゴリ情報によって分類される電子記事などのコンテンツを表示することが可能な情報処理端末に関する。
【背景技術】
【０００２】
近年、電子記事などのコンテンツを画面に表示することが可能な情報処理端末の普及が進んでいる。例えば、特許文献１には、複数の電子記事の１つの本文を表示部に表示することが可能な携帯電話機が開示されている。この携帯電話機は、表示している電子記事の前後の電子記事を表示するためのボタンを有し、当該ボタンの近傍に前後の電子記事の日付が表示されている。当該ボタンを押下することにより、表示している記事と同一カテゴリの前後の記事を表示することができる。
【０００３】
特許文献２には、配信されたニュース記事の中からユーザが所望の記事を容易に発見できるように、複数のカテゴリ情報を含む情報を端末の画面に表示させることが開示されている。ユーザが所望のカテゴリを指定することにより、指定されたカテゴリの記事を表示させることができる。
【０００４】
特許文献３には、電子記事ではないが、時間、チャンネル、カテゴリによって分類される番組表を表示できる表示装置が開示されている。ユーザが複数のカテゴリの中から所望のカテゴリを選択することにより、選択されたカテゴリの番組表が表示される。これにより、目的とする番組情報を直観的に検索することを可能にしている。
【先行技術文献】
【特許文献】
【０００５】
【特許文献１】特開２００９−１５５０６号公報
【特許文献２】特開２００２−２１５７３２号公報
【特許文献３】特開平１０−１９１１９３号公報
【発明の概要】
【発明が解決しようとする課題】
【０００６】
特許文献１から３に開示された装置では、複数の日付情報および複数のカテゴリ情報の中から特定の日付およびカテゴリを１つの画面内で選択して所望の記事を表示させることはできない。また、ユーザが日付を変更した際に関連するカテゴリのコンテンツを続けて読みたい場合に、従来技術では対応することができなかった。
【０００７】
本発明は、上記の課題に鑑み、日付を変更した時に、関連するカテゴリのコンテンツ表示が維持される情報処理端末を提供することを目的とする。
【課題を解決するための手段】
【０００８】
本発明の情報処理端末は、日付情報およびカテゴリ情報によって分類されるコンテンツを表示することができる。前記情報処理端末は、ディスプレイと、前記ディスプレイ上でユーザからの入力を検知するタッチセンサと、複数の日付情報、複数のカテゴリ情報、および前記複数の日付情報および前記複数のカテゴリ情報から前記ユーザによって選択された日付およびカテゴリに属するコンテンツを、前記ディスプレイに表示させる制御部とを備えている。前記制御部は、現在表示されているコンテンツの日付と異なる日付が選択されたとき、前記コンテンツのカテゴリと同一または類似するカテゴリに属する、選択された日付のコンテンツを前記ディスプレイに表示させる。
【０００９】
ある実施形態において、前記制御部は、現在表示されているコンテンツの日付と異なる日付が選択されたとき、前記コンテンツのカテゴリと同一または類似するカテゴリに属するコンテンツが選択された日付に存在しない場合には、選択された日付における予め設定された初期画面を前記ディスプレイに表示させる。
【００１０】
ある実施形態において、前記ディスプレイは、予め設定された期間の日付情報を一度に表示する。
【００１１】
ある実施形態において、前記コンテンツは新聞記事である。
【００１２】
ある実施形態において、前記制御部は、現在表示されているコンテンツの日付と異なる日付が選択されたとき、前記コンテンツのカテゴリと同一または類似するカテゴリに属するコンテンツが選択された日付に存在しない場合には、選択された日付における新聞の第１面の記事の情報を前記ディスプレイに表示させる。
【００１３】
本発明の他の情報処理端末は、日付情報およびカテゴリ情報によって分類されるコンテンツを表示する。前記情報処理端末は、ディスプレイと、前記ディスプレイ上でユーザからの入力を検知するタッチセンサと、メモリと、プロセッサと、前記メモリに格納されたプログラムとを備えている。前記プログラムは、前記プロセッサに、複数の日付情報、複数のカテゴリ情報、および前記複数の日付情報および前記複数のカテゴリ情報から前記ユーザによって選択された日付およびカテゴリに属するコンテンツを、前記ディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを実行させる。
【００１４】
本発明の表示制御方法は、日付情報およびカテゴリ情報によって分類されるコンテンツを表示する情報処理端末において用いられる。前記表示制御方法は、複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを含む。
【００１５】
本発明の表示制御プログラムは、日付情報およびカテゴリ情報によって分類されるコンテンツを表示する情報処理端末において用いられる。前記プログラムは、コンピュータに対し、複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、現在表示されているコンテンツの日付と異なる日付が選択されたとき、前記コンテンツのカテゴリと同一または類似するカテゴリに属する、選択された日付のコンテンツを前記ディスプレイに表示させるステップとを実行させる。
【発明の効果】
【００１６】
本発明によれば、日付を変更した場合に、現在表示されているコンテンツと関連性の高いコンテンツが表示されるため、ユーザの利便性が向上する。
【図面の簡単な説明】
【００１７】
【図１】実施形態における情報処理端末の外観を示す図である。
【図２】実施形態における情報処理端末のハードウェア構成を示すブロック図である。
【図３】実施形態における情報処理端末の画面構成例を示す図である。
【図４】カテゴリおよびグループの例を示す図である。
【図５】各画面間の遷移の例を示す図である。
【図６】日付変更動作における画面遷移の例を示す図である。
【図７】日付変更動作の処理の流れを示すフローチャートである。
【図８】紙面イメージの表示に関する画面遷移の例を示す図である。
【図９】横書き表示と縦書き表示との切り替えに関する画面遷移の例を示す図である。
【図１０】スクロールがこれ以上できないときの注意喚起のための表示の例を示す図である。
【図１１】情報処理端末と配信サーバとの間の情報通信の例を示す図である。
【図１２】配信されるコンテンツのデータ構造の例を示す図である。
【発明を実施するための形態】
【００１８】
以下、添付の図面を参照しながら本発明の実施形態を説明する。
【００１９】
図１は、本実施形態における情報処理端末１００（以下、単に「端末」と呼ぶことがある。）の外観を示す図である。本実施形態の情報処理端末１００は、新聞社などの配信サーバから配信された新聞記事のデータをディスプレイに表示する機能を備えた端末である。
【００２０】
情報処理端末１００は、コンテンツを表示するディスプレイおよびユーザからの入力を検知するタッチセンサを有するタッチスクリーン１１０と、情報処理端末１００の共通的な操作を可能にする操作ボタン１２０とを備えている。情報処理端末１００は、他に、電源スイッチ、外部ＩＦ、カメラ、スピーカ、マイク等を備え得るが、本発明の理解に特に必要ではないため、記載を省略している。操作ボタン１２０は、タッチセンサによって指等の接近を検知して入力を認識するものであってもよいし、ユーザによって実際に押し込まれることで入力を検知するボタンであってもよい。
【００２１】
図１は、タッチスクリーン１１０に新聞記事のコンテンツが表示されている状態の例を示している。情報処理端末１００は、電子新聞の表示の他、例えばＷｅｂページの閲覧、電子書籍の閲覧、電子メールの送受信、音声再生、写真撮影等が可能な汎用の情報処理端末であってもよい。
【００２２】
図２は、情報処理端末１００のハードウェア構成を示すブロック図である。図２には、情報処理端末１００の他、新聞記事データを配信する配信サーバ５００も記載されている。情報処理端末１００は、前述したタッチスクリーン１１０および操作ボタン１２０の他、無線通信を行うための通信回路１６０、配信された記事データや処理の過程で一時的に発生したデータを記録するメモリ１５０、情報処理端末１００の向きを検知する加速度センサ１８０、各機能部の動作を制御するプロセッサ（制御部）１４０を備えている。プロセッサ１４０は、バス２００を介して各機能部を制御する。
【００２３】
タッチスクリーン１１０は、前述のように、ユーザからの入力を検知するタッチセンサ１１２と、情報を表示するディスプレイ１１４とを有する。タッチスクリーン１１０は、ユーザからの入力およびディスプレイへの出力が可能であれば公知のどのような方式で実現されていてもよい。
【００２４】
操作ボタン１２０は、前述のように、タッチセンサによって入力を検知するものでもよいし、実際にユーザに押し込まれることによって入力を検知するものでもよい。操作ボタン１２０は、情報処理端末１００の初期画面（ホーム画面）を呼び出すボタン、直前の画面表示に戻るためのボタン、端末の各種設定を行うための画面を呼び出すボタンなどを含み得る。
【００２５】
プロセッサ１４０は、例えば公知のＣＰＵ（Ｃｅｎｔｒａｌ  Ｐｒｏｃｅｓｓｉｎｇ  Ｕｎｉｔ）およびＧＰＵ（Ｇｒａｐｈｉｃｓ  Ｐｒｏｃｅｓｓｉｎｇ  Ｕｎｉｔ）を含む集積回路と各種プログラムとの組み合わせ、または専用のハードウェアによって構成され得る。プロセッサ１４０は、操作ボタン１２０、タッチセンサ１１２、通信回路１６０、加速度センサ１８０等からの入力に基づいてディスプレイ１１４への表示を制御するとともに、配信サーバ５００との間の通信を制御する。
【００２６】
メモリ１５０は、例えば公知のＤＲＡＭやＳＲＡＭ等の半導体メモリである。メモリ１５０は、操作ボタン１２０、タッチセンサ１１２、通信回路１６０、加速度センサ１８０等からの入力データや、プロセッサ１４０の処理において一時的に発生する各種のデータを保存する。メモリ１５０はまた、プロセッサ１４０によって実行される各種プログラムを保存する。
【００２７】
通信回路１６０は、公知の通信回路であり、プロセッサ１４０からの指示により、遠隔地に設けられた配信サーバ５００に対して記事データの要求信号を送信するとともに配信された記事データを受信する。通信回路１６０は、例えばＩＥＥＥ８０２．１１規格に準拠した無線通信を行い、電話回線、光ファイバ網、携帯電話網等を介してインターネットに接続可能である。
【００２８】
加速度センサ１８０は、情報処理端末１００の傾きを検知するためのセンサである。加速度センサ１８０によって検知された傾きに応じて、プロセッサ１４０は、ディスプレイ１１４への表示を回転させる制御を行う。なお、加速度センサ１８０の代わりにジャイロスコープ等の他の種類のセンサを用いて情報処理端末１００の傾きを検知してもよい。
【００２９】
以下、情報処理端末１００が新聞記事を表示する際の画面構成の例を説明する。
【００３０】
図３は、情報処理端末１００が新聞記事のコンテンツを表示する際の画面構成の例を示す図である。本実施形態では、新聞記事を表示する画面として、大別してウィジェットによる表示画面と、専用アプリケーションによる表示画面とが用意されている。
【００３１】
図３（ａ）は、ウィジェットによる表示画面の例を示している。ウィジェットによる表示画面は、例えば端末起動後、予めユーザによってカスタマイズされた設定内容に基づいて表示され得る。ウィジェットによる表示画面では、その日の主要な記事のヘッドラインや写真が、例えば新聞紙面の頁ごとに一定の時間間隔で切り替わりながら表示される。これにより、ユーザは、専用アプリケーションを起動することなく、その日の新聞記事の紙面ごとのダイジェストを知ることができる。図３（ａ）には示されていないが、ウィジェットによる画面には、記事情報だけでなく、宣伝広告や号外に関する情報が表示されていてもよい。
【００３２】
図３（ｂ）、（ｃ）は、専用アプリケーションによる表示画面の例を示している。情報処理端末１００の初期画面に表示されるアプリケーション起動用アイコンを選択（タップ）するか、上記のウィジェットに表示された１つの記事の区画をタップすると、専用アプリケーションが起動し、図３（ｂ）、（ｃ）に例示される画面のいずれかが表示される。
【００３３】
図３（ｂ）は、アプリケーション起動用アイコンを選択した場合に表示される画面の例を示している。この画面は、日付情報３１０とカテゴリ情報３２０とによって分類されるコンテンツのダイジェスト（ダッシュボード）を表示する画面である。ダッシュボードは、記事ごとに用意され、ヘッドライン、写真、またはそれらの組み合わせによって表現され得る。以下、図３（ｂ）に示す画面を、「カテゴリ表示画面」または「ダッシュボード画面」と呼ぶ。なお、本実施形態では、図３（ａ）に示すウィジェットに表示される内容は、このダッシュボード画面に表示される内容と同一である。なお、図３（ｂ）では、３つの記事についてのダッシュボードが一画面に表示されているが、一画面に表示される記事の数は３つに限られない。また、１つのカテゴリの全ての記事のダッシュボードを一画面に表示できない場合は、例えば画面右部に残りの記事の見出しを並べてもよい。これにより、ダッシュボードが表示されていない記事の見出しを選択することにより、選択した記事の詳細画面に遷移できるようにしてもよい。
【００３４】
日付情報３１０は、表示させる記事の日付を指定するための情報であり、図示される例では画面上部に横並びで一週間分表示されている。このように、日付情報３１０は、取得済みの新聞記事データの最新の日付けから遡って一定日数（例えば７日間）分が一度に表示されることが好ましい。図３（ｂ）は、７月９日土曜日に情報処理端末１００を使用している場合の例を示している。このような画面構成により、ユーザは、複数の日付の中から所望の日付を容易に指定することができる。ユーザによって日付が指定されると、後述するように、現在表示されている記事と同一または類似するカテゴリに属する、指定された日付の記事が表示される。なお、日付情報３１０が表示されている領域を指等で横になぞることにより、表示されている日付よりもさらに過去の日付情報を表示させるようにしてもよい。または、さらに過去の日付情報を表示させるためのボタンを表示し、それをタップすることにより、例えば１週間ごとに過去の日付情報に遡って表示されるように構成されていてもよい。また、図３（ｂ）では、最新の日付として「７／９（土）」を画面上部の右端に設定して一定日数分の情報が表示されているが、最新の日付を画面上部の左端に設定して一定日数分の情報を表示してもよい。
【００３５】
カテゴリ情報３２０は、表示させる記事のカテゴリを指定するための情報であり、図示される例では画面左部に縦並びで表示されている。各カテゴリは、新聞の各面に相当し、それらは１対１に対応している。例えば、新聞の第１面は、「朝一」カテゴリに対応し、スポーツ１欄は「スポーツ１」カテゴリに対応する。なお、本実施形態では、アプリケーション起動直後は「朝一」カテゴリのダッシュボードが表示されるように設定されている。このカテゴリ情報３２０により、ユーザは、複数のカテゴリの中から所望のカテゴリを容易に指定することができる。ユーザによってカテゴリが指定されると、現在表示されている記事と同一の日付の、指定されたカテゴリに属する記事が表示される。なお、カテゴリの数が多いために、カテゴリ情報３２０の全てが一画面に収まらない場合は、縦にスクロールすることで表示されていなかったカテゴリが表示されるようにしてもよい。
【００３６】
ここで、カテゴリ情報３２０に表示される情報の例を説明する。図４は、カテゴリ情報３２０に表示される情報の一例を示す図である。図４に示される表のカテゴリ欄に記載されている「朝一」、「総合」などの文言がカテゴリ情報３２０として画面に表示される。図４では、関連性のあるカテゴリ同士が同一のグループに属するように、カテゴリが複数のグループに分類されている例を示している。プロセッサ１４０は、図４に示すような情報をメモリに保持しており、当該情報に基づいて、カテゴリ情報３２０をディスプレイ１１４に表示させる。また、プロセッサ１４０は、後述するように、図４に示される分類に基づいて、複数のカテゴリ間の類似性を判断することもできる。
【００３７】
図３（ｃ）は、ウィジェットに表示された記事の１つを選択した場合や、ダッシュボード画面に表示された記事の１つを選択した場合に表示される画面の例を示している。この画面は、選択された記事の詳細を表示する。以下、この画面を「記事詳細画面」と呼ぶ。記事詳細画面においても、日付情報３１０およびカテゴリ情報３２０が表示され、ユーザの選択によって所望の日付およびカテゴリの記事を表示させることができる。記事詳細画面では、記事が一画面に収まらない場合には、上下に画面をなぞることにより、画面をスクロールさせることができる。また、表示されているカテゴリに複数の記事がある場合には、左右に画面をなぞることにより、同一日付、同一カテゴリに属する前後の記事を表示させることができる。記事詳細画面では、記事とともに掲載されている写真の部分をタップすることにより、拡大された写真を表示させてもよい。
【００３８】
ダッシュボード画面および記事詳細画面は、ユーザが２本の指で表示領域を広げる動作または縮める動作（タッチスクリーン上のピンチ処理）を行うことにより、表示を拡大または縮小させることが可能である。
【００３９】
なお、日付情報３１０およびカテゴリ情報３２０のレイアウトは、図３に示す例とは異なっていてもよい。例えば、日付情報３１０が縦並びで表示され、カテゴリ情報３２０が横並びで表示されていてもよい。また、日付情報３１０およびカテゴリ情報３２０が横または縦に並列するように配置されていてもよい。
【００４０】
図３に示す例では、情報処理端末１００を横長の表示にした場合の画面イメージを表している。情報処理端末１００を例えば９０度傾けて縦長の表示にした場合には、これらの画面のレイアウトは変化してもよい。例えば、縦長の表示にした場合には日付情報３１０とカテゴリ情報３２０とが、ともに画面上部に横並びで上下に並んで配置されるようにしてもよいし、ともに画面左部に縦並びで左右に並んで配置されるようにしてもよい。
【００４１】
図５は、これらの画面間の遷移の方法の例を示す図である。図５（ａ）に示すウィジェットに表示されている特定の記事の区画内をタップすると、図５（ｃ）に示すように当該記事の詳細画面が表示される（図５（１））。また、図５（ｂ）に示すダッシュボード画面における特定の記事の区画をタップしても同様に、当該記事の記事詳細画面に遷移する（図５（２））。逆に、記事詳細画面において、特定のカテゴリを選択すると、当該カテゴリのダッシュボード画面に遷移する（図５（３））。なお、本実施形態では、記事詳細画面において、現在表示されている記事のカテゴリと同一のカテゴリが選択された場合と異なるカテゴリが選択された場合とに関わらず、当該カテゴリのダッシュボード画面に遷移する。
【００４２】
ウィジェットおよびダッシュボード画面内の特定の記事の区画内をタップすることによって、当該記事の詳細画面が表示される動作は、例えば次の仕組みによって実現される。情報処理端末１００は、タッチスクリーン１１０のどの領域がどの記事に対応するかを示す「記事領域情報」を、例えばメモリ１５０内に保持している。プロセッサ１４０は、ユーザがタッチスクリーン１１０上のどの位置をタップしたかを認識し、その位置に対応する記事を、記事領域情報を参照することによって特定し、特定した記事の詳細画面を表示する。
【００４３】
次に、ユーザによって日付が変更されたときの動作を説明する。
【００４４】
図６は、ダッシュボード画面または記事詳細画面が表示されている状態において、ユーザが日付を変更したときの画面遷移の例を示す図である。まず、図６（ａ）に示すように、７月４日月曜日の「スポーツ２」カテゴリのダッシュボード画面が表示されているものとする。この状態で、ユーザが日付情報における「7/7（木）」の表示部分をタップすると、図６（ｃ）に示す７月７日木曜日の「スポーツ２」カテゴリのダッシュボード画面に遷移する（図６（１））。また、図６（ｂ）に示すように、ユーザが７月４日月曜日の「スポーツ２」カテゴリの記事詳細画面を閲覧している状態で、日付情報における「7/7（木）」の表示部分をタップした場合も、同様に図６（ｃ）に示す画面に遷移する（図６（２））。
【００４５】
このように、現在表示されている記事の日付とは異なる日付が指定されると、指定された日付の、同一カテゴリのダッシュボード画面が表示される。ここで、同一カテゴリの記事が指定した日付に存在しない場合があり得る。例えば、現在表示している「スポーツ２」のカテゴリが、指定した日付に存在しない場合がある。そのような場合、情報処理装置１００は、指定された日に類似するカテゴリがあれば、そのカテゴリのダッシュボード画面を表示する。例えば「スポーツ２」のカテゴリが指定された日にない場合、代わりに「スポーツ」のダッシュボード画面が表示される。類似するカテゴリとして、例えば、「スポーツ」と「スポーツ２」、「総合１」と「総合２」などが挙げられる。現在表示している記事のカテゴリに類似するカテゴリがない場合は、予め設定された初期画面（例えば第１面）が表示される。
【００４６】
図７は、上記の日付変更動作を実現するために情報処理端末１００が行う処理の流れを示すフローチャートである。まず、タッチセンサ１１２を介して現在表示している記事の日付とは異なる日付の入力を受けると（ステップＳ０１）、プロセッサ１４０は、現在表示している記事のカテゴリと同一のカテゴリが存在するか否かを判定する（ステップＳ０２）。指定された日付に同一のカテゴリが存在する場合、プロセッサ１４０は、ディスプレイ１１４に当該カテゴリのダッシュボード画面を表示させる（ステップＳ０３）。指定された日付に同一のカテゴリが存在しない場合は、プロセッサ１４０は、当該日付に類似するカテゴリが存在するか否かを判定する（Ｓ０４）。当該日付に類似するカテゴリが存在する場合、プロセッサ１４０は、ディスプレイ１１４にその類似するカテゴリのダッシュボード画面を表示させる(ステップＳ０５)。当該日付に類似するカテゴリも存在しない場合は、プロセッサ１４０は、予め設定された初期画面（例えば第１面のダッシュボード画面）をディスプレイ１１４に表示させる。
【００４７】
次に、類似するカテゴリが存在するか否かの判断がどのようにして行われるかを説明する。情報処理端末１００は、例えば前方一致検索によってヒットした、現在のカテゴリ名と名称の一部が重複するカテゴリを類似するカテゴリと判断することができる。または、図４に示されるような、予め設定された類似のカテゴリを規定するテーブルに基づいて類似性を判断してもよい。情報処理端末１００は、図４に示される情報をテーブルとしてメモリ１５０内に保持しており、プロセッサ１４０が当該テーブルを参照することによって類似性を判断することができる。例えば、現在表示している記事が「国際・総合」カテゴリの記事であり、指定された日付に「国際・総合」カテゴリの記事がない場合、同じ「総合」グループに属するカテゴリのうち、先頭の「総合」カテゴリの記事があれば、その記事が表示される。なお、情報処理装置１００は、類似性の判断を行わず、同一のカテゴリがない場合は直ちに予め設定された初期画面を表示してもよい。
【００４８】
以上のように、本実施形態の情報処理端末１００によれば、現在表示されているコンテンツの日付と異なる日付が選択されたとき、参照中のコンテンツのカテゴリと同一または類似するカテゴリのコンテンツが表示される。本実施形態によれば、日付変更時に初期画面へ遷移することなく、それまで閲覧していたコンテンツと関連度の高いコンテンツを連続して閲覧することができるため、従来の情報処理端末に比べ、ユーザの利便性が向上する。
【００４９】
次に、本実施形態の情報処理端末１００の他の機能を説明する。情報処理端末１００は、上記の日付変更動作の他、以下に示す機能を備えていてもよい。
【００５０】
図８は、ダッシュボード画面または記事詳細画面から新聞紙面イメージへと表示を切り換える動作の例を示す図である。図８（ａ）に示すダッシュボード画面または図８（ｂ）に示す記事詳細画面の上部に表示されているボタン８３０、８４０をタップすると、図８（ｃ）に示すように、それまで表示されていた記事に対応する新聞紙面イメージが表示される（図８（１）、（２））。本実施形態では、カテゴリと新聞紙面の頁とは１対１に対応しているので、それまで表示されていたカテゴリに対応する頁の紙面イメージが表示される。
【００５１】
逆に、紙面イメージからダッシュボード画面や記事詳細画面に遷移させることも可能である。例えば、図８（ｃ）に示す紙面イメージ画面には、ダッシュボード画面に戻るためのボタン８００が存在し、それをタップすると、表示されている紙面に対応するダッシュボード画面に遷移する（図８（３））。なお、ボタン８００を表示する代わりに、図１に示す操作ボタン１２０の１つが同等の機能を有していてもよい。また、紙面イメージにおける各記事が記載された領域をタップすることによって当該記事の記事詳細画面に遷移するように構成されていてもよい（図８（４））。また、ダッシュボード画面および記事詳細画面に表示されている「○○新聞」の部分をタップすることによって上記図８（１）の動作および図８（２）の動作が実現されるように構成されていてもよい。なお、この例でも、ダッシュボード画面と記事詳細画面との間の遷移は、図５を参照して説明した上記の画面切り替え方法によって行われる。
【００５２】
紙面イメージは、家庭に配達または販売店で販売される新聞紙面と全く同一の内容である。記事詳細画面には、情報量およびスペースの制約上、新聞紙の全ての情報が掲載されない場合がある。そのような場合であっても、紙面イメージを参照すれば、全ての情報を読むことができる。紙面イメージ画面においても、記事詳細画面等と同様、ユーザが自由にスクロール、拡大・縮小させることが可能である。また、図８（ｃ）に示す頁切替ボタン８１０、８２０をタップすれば、１頁ずつ画面を遷移させることができる。
【００５３】
図９は、横書き表示と縦書き表示とを切り換える動作を示す図である。情報処理端末１００は、記事詳細画面において、横書き表示と縦書き表示とを切り換える機能を有していてもよい。日本語の新聞は、通常縦書きで作成されるため、情報処理端末１００上で日本語の記事を読む際にも縦書きで書かれていた方がよいというニーズが想定される。そこで、図９（ａ）に示すように、横書きと縦書きとを切り換えるための表示切替ボタン９００を記事詳細画面に設けてもよい。表示切替ボタン９００をタップすることにより、横書きから縦書きへの変換（図９（１））、および縦書きから横書きへの変換（図９（２））が可能になる。
【００５４】
図１０は、記事詳細画面のスクロールがこれ以上できないときに注意喚起のための表示を行う動作の例を示す図である。記事詳細画面において、スクロールさせようとしたとき、記事の端に達し、これ以上スクロールできないことがある。情報処理端末１００は、そのような時、ユーザに記事の端に達したことを知らせるための赤色の線（注意喚起表示）１０００を表示する。この機能により、例えば記事内の写真をタップして拡大表示させようとしているときに、意図しない指の滑りによってスクロールになってしまった場合に、ユーザに注意喚起することができる。なお、本実施形態では赤色の線を表示することとしたが、ユーザに注意喚起できれば、どのような表示であってもよい。
【００５５】
次に、情報処理端末１００へのデータ配信および配信データの例を説明する。
【００５６】
図１１は、情報処理端末１００と遠隔地に設けられた新聞社の配信サーバ５００との間の情報通信の一例を示す図である。本実施形態における情報処理端末１００は、新聞記事のデータを遠隔地に配置された配信サーバ５００から毎朝取得する。図示される例では、情報処理端末１００は、毎朝定時（例えば午前５時）に配信サーバ５００に対し、配信を要求する。配信サーバ５００は、要求に応じて、その日の記事データを配信する。但し、配信サーバ５００に一度に多くの要求が届いた場合などは、配信サーバ５００の処理能力や伝送可能なトラヒック量の限界などにより、データを配信できない場合がある。そのような場合、配信サーバ５００は、一定時間待ってから再度要求するように情報処理端末１００に通知する（再送要求）。再送要求を受けた情報処理端末１００は、一定時間（例えば５分）待ってから再度配信を要求する。配信サーバ５００は、要求を受けた後、配信可能であると判断すると、記事データを情報処理端末１００に配信する。
【００５７】
図１２は、情報処理端末１００に配信される記事データのデータ構造の一例を示す図である。情報処理端末１００は、配信サーバ５００から、図示されるデータ構造のデータを毎朝受け取る。図１２において、長方形で囲まれた文字はディレクトリ（またはフォルダ）を表し、長方形で囲まれていない文字はファイルを表している。配信日が２０１１年７月４日である場合、記事データは、「20110704」ディレクトリの配下に格納されて配信される。
【００５８】
「20110704」ディレクトリは、「category」ディレクトリ、「paper」ディレクトリ、「widget」ディレクトリ、および「metadata.xml」ファイルを含んでいる。「category」ディレクトリには、ダッシュボード画面および記事詳細画面に表示されるコンテンツのデータが格納される。「paper」ディレクトリには、紙面イメージ画面に表示されるイメージデータが格納される。「widget」ディレクトリには、ウィジェット画面に表示されるイメージデータが格納される。「category」、「paper」、「widget」の各ディレクトリに含まれる「０１」から「２０」のディレクトリの各々は、新聞の各面（カテゴリ）に対応している。すなわち、「０１」ディレクトリには、第１面に関するデータが格納され、「２０」ディレクトリには、第２０面（最終面）に関するデータが格納されている。「metadata.xml」は、日付等のメタデータを記述するＸＭＬ（Ｅｘｔｅｎｓｉｂｌｅ  Ｍａｒｋｕｐ  Ｌａｎｇｕａｇｅ）ファイルである。
【００５９】
「category」ディレクトリに含まれる「categorys.txt」には、カテゴリ名の一覧が記述されている。情報処理端末１００は、このデータを参照してダッシュボード画面および記事詳細画面にカテゴリ情報を表示する。「category」ディレクトリに含まれる「０１」から「２０」ディレクトリの各々には、「news.xml」ファイルと、複数のＪＰＥＧ（Ｊｏｉｎｔ  Ｐｈｏｔｏｇｒａｐｈｉｃ  Ｅｘｐｅｒｔｓ  Ｇｒｏｕｐ）ファイルが格納されている。「news.xml」ファイルは、そのカテゴリに属するすべての記事のテキストデータ、画像データ（上記のＪＰＥＧファイル）へのパス、および記事のレイアウト情報が記述されたＸＭＬファイルである。プロセッサ１４０は、このＸＭＬファイルを参照して各記事をディスプレイ１１４に表示する。なお、図１２では、「０１」ディレクトリ以外のディレクトリの配下のファイルについての記載は省略している。
【００６０】
「paper」ディレクトリには、新聞の各面ごとの紙面イメージのデータが１６分割されて格納されている。「０１」から「２０」ディレクトリの各々に、１６個のＪＰＥＧファイルが格納されている。これらのＪＰＥＧファイルは、新聞紙面のイメージを１６分割したものであり、全てを合わせると１頁分の紙面イメージになる。プロセッサ１４０は、紙面イメージの表示の要求をユーザから受け取ると、これらのＪＰＥＧファイルを利用して、紙面イメージ画面を表示する。なお、図１２では、「０１」ディレクトリ以外のディレクトリの配下のファイルについての記載は省略している。
【００６１】
「widget」ディレクトリには、ウィジェット画面およびダッシュボード画面に表示される画像の区画を定めるためのデータが格納されている。「０１」から「２０」ディレクトリの各々に、１６個のＰＮＧ（Ｐｏｒｔａｂｌｅ  Ｎｅｔｗｏｒｋ  Ｇｒａｐｈｉｃｓ）ファイルと、「template.txt」ファイルが格納されている。「template.txt」ファイルには、ウィジェット画面およびダッシュボード画面において各記事の区画を定めるための区画情報が記述されている。この区画情報が、上述した「記事領域情報」として使用される。「news0.png」から「news15.png」ファイルは、ウィジェット画面およびダッシュボード画面に表示させるイメージをカテゴリごとに１６分割したデータである。区画情報は、これらのデータで表された、１６等分された画面のどの部分がどの記事に対応するかを示している。なお、「記事領域情報」は、この例に限らず、画面上のどの座標がどの記事に対応するかを示す情報であってもよい。例えば、上記の区画情報の代わりに、画面上の位置を矩形の座標を用いて表したときに、各座標がどの記事と対応するかを規定するファイルが記録されていてもよい。「widget」ディレクトリには、上記のデータの他、広告用のイメージデータ等が格納されていてもよい。
【００６２】
以上の配信データにより、情報処理端末１００は、最新の記事データを表示することが可能になる。情報処理端末１００は、図１２に例示されるようなデータ構造の配信データを毎朝受信し、メモリ１５０に格納する。プロセッサ１４０は、メモリ１５０から当日受信したデータを読出し、ウィジェット画面、ダッシュボード画面、記事詳細画面を構築し、ディスプレイ１１４に表示させる。なお、図１２に示すデータ構造はあくまで一例であり、本実施形態における動作を実現できれば、配信データはどのようなデータ構造を有していてもよい。
【００６３】
以上のように、本実施形態の情報処理端末１００は、新聞社の配信サーバ５００から配信される新聞記事のデータに基づいてコンテンツを表示するが、本発明は、このような形態に限られるものではない。例えば、コンテンツは新聞記事に限らず、日付情報およびカテゴリ情報によって分類されるデータであれば、雑誌の記事などであってもよい。また、記事のデータは電気通信回線ではなく、記録媒体を介して情報処理端末１００に記録してもよい。
【００６４】
なお、本実施形態におけるプロセッサ１４０が実行する上記の各処理を規定するプログラムは、情報処理端末１００とは独立して流通され得る。そのようなプログラムは、例えば電気通信回線や、ＣＤ−ＲＯＭ、ＤＶＤ−ＲＯＭ、磁気テープ、メモリカード等の記録媒体を介して情報処理端末１００に記録することができる。
【産業上の利用可能性】
【００６５】
本発明は、日付を変更した場合に、直前に表示されていたコンテンツと関連度の高いコンテンツが表示されるため、例えば電子新聞を表示するための装置に利用可能である。
【符号の説明】
【００６６】
１００    情報処理端末
１１０    タッチスクリーン
１１２    タッチセンサ
１１４    ディスプレイ
１２０    操作ボタン
１４０    プロセッサ
１５０    メモリ
１６０    通信回路
１８０    加速度センサ
２００    バス
３１０    日付情報
３２０    カテゴリ情報
５００    配信サーバ
８００    ダッシュボード画面表示用ボタン
８１０、８２０  頁切替ボタン
８３０、８４０  紙面イメージ表示用ボタン
９００  表示切替ボタン
【手続補正２】
【補正対象書類名】特許請求の範囲
【補正対象項目名】全文
【補正方法】変更
【補正の内容】
【特許請求の範囲】
【請求項１】
日付情報およびカテゴリ情報によって分類されるコンテンツを表示する情報処理端末であって、
ディスプレイと、
前記ディスプレイ上でユーザからの入力を検知するタッチセンサと、
複数の日付情報、複数のカテゴリ情報、および前記複数の日付情報および前記複数のカテゴリ情報から前記ユーザによって選択された日付およびカテゴリに属するコンテンツを、前記ディスプレイに表示させる制御部と、
を備え、
前記制御部は、現在表示されているコンテンツの日付と異なる日付が選択されたとき、前記コンテンツのカテゴリと同一または類似するカテゴリに属する、選択された日付のコンテンツを前記ディスプレイに表示させる、情報処理端末。
【請求項２】
前記制御部は、現在表示されているコンテンツの日付と異なる日付が選択されたとき、前記コンテンツのカテゴリと同一または類似するカテゴリに属するコンテンツが選択された日付に存在しない場合には、選択された日付における予め設定された初期画面を前記ディスプレイに表示させる、請求項１に記載の情報処理端末。
【請求項３】
前記ディスプレイは、予め設定された期間の日付情報を一度に表示する、請求項１または２に記載の情報処理端末。
【請求項４】
前記コンテンツは新聞記事である、請求項１から３のいずれかに記載の情報処理端末。
【請求項５】
前記制御部は、現在表示されているコンテンツの日付と異なる日付が選択されたとき、前記コンテンツのカテゴリと同一または類似するカテゴリに属するコンテンツが選択された日付に存在しない場合には、選択された日付における新聞の第１面の記事の情報を前記ディスプレイに表示させる、請求項４に記載の情報処理端末。
【請求項６】
日付情報およびカテゴリ情報によって分類されるコンテンツを表示する情報処理端末であって、
ディスプレイと、
前記ディスプレイ上でユーザからの入力を検知するタッチセンサと、
メモリと、
プロセッサと、
前記メモリに格納されたプログラムと、
を備え、
前記プログラムは、前記プロセッサに、
複数の日付情報、複数のカテゴリ情報、および前記複数の日付情報および前記複数のカテゴリ情報から前記ユーザによって選択された日付およびカテゴリに属するコンテンツを、前記ディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を実行させる、情報処理端末。
【請求項７】
日付情報およびカテゴリ情報によって分類されるコンテンツを表示する情報処理端末において用いられる表示制御方法であって、
複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を含む表示制御方法。
【請求項８】
日付情報およびカテゴリ情報によって分類されるコンテンツを表示する情報処理端末において用いられる表示制御プログラムであって、
コンピュータに対し、
複数の日付情報、複数のカテゴリ情報、および前記複数の日付情報および前記複数のカテゴリ情報からユーザによって選択された日付およびカテゴリに属するコンテンツを、前記情報処理端末のディスプレイに表示させるステップと、
現在表示されているコンテンツの日付と異なる日付が選択されたとき、前記コンテンツのカテゴリと同一または類似するカテゴリに属する、選択された日付のコンテンツを前記ディスプレイに表示させるステップと、
を実行させる、表示制御プログラム。
【手続補正３】
【補正対象書類名】図面
【補正対象項目名】全図
【補正方法】変更
【補正の内容】
【図１】
2013030892.tif 000015
【図２】
2013030892.tif 000016
【図３】
2013030892.tif 000017
【図４】
2013030892.tif 000018
【図５】
2013030892.tif 000019
【図６】
2013030892.tif 000020
【図７】
2013030892.tif 000021
【図８】
2013030892.tif 000022
【図９】
2013030892.tif 000023
【図１０】
2013030892.tif 000024
【図１１】
2013030892.tif 000025
【図１２】
2013030892.tif 000026
【国際調査報告】
2013030892.tif 000027
2013030892.tif 000028
2013030892.tif 000029
2013030892.tif 000030